(57)【要約】【課題】ロール紙セット時の手間を軽減することを可能とした、ロール紙セット機構を備える携帯型端末を提供することである。【解決手段】提案する携帯型端末は、ロール紙を挿入可能なロール紙ホルダと、前記ロール紙を、印字を行うヘッドに押し付けて、前記ロール紙の先端部分を用紙送りするプラテンローラと、前記プラテンローラと一体化した蓋を有し、前記ロール紙ホルダを収納可能なロール紙ホルダ収納部とを備える。【選択図】図１
2013049221.tif 000002
【特許請求の範囲】
【請求項１】
ロール紙を挿入可能なロール紙ホルダと、
前記ロール紙を、印字を行うヘッドに押し付けて、前記ロール紙の先端部分を用紙送りするプラテンローラと、
前記プラテンローラと一体化した蓋を有し、前記ロール紙ホルダを収納可能なロール紙ホルダ収納部とを備え、
前記ロール紙ホルダは、前記蓋を開いたときに前記ロール紙ホルダ収納部から着脱自在である、
ことを特徴とする携帯型端末。
【請求項２】
前記ロール紙ホルダは、前記ロール紙ホルダ収納部に対し、着脱自在に係合可能であることを特徴とする請求項１記載の携帯型端末。
【請求項３】
前記ロール紙ホルダは、前記ロール紙を収納するロール紙収納部と、前記ロール紙が排出可能な開口部を有し、前記ロール紙収納部よりみて前記開口部から外側に向かって突起部を設けたことを特徴とする請求項１または請求項２に記載の携帯型端末。
【請求項４】
前記ロール紙ホルダは、フランジ部と本体円筒部を有することを特徴とする請求項１〜３のいずれかに記載の携帯型端末。
【請求項５】
前記ロール紙ホルダは、内壁に一定間隔毎に配置された複数のリブを備えることを特徴とする請求項１〜４のいずれかに記載の携帯型端末。
【発明の詳細な説明】
【技術分野】
【０００１】
本発明は、ロール紙を記録紙として使用するプリンタを有し、ロール紙セット時の手間を軽減するロール紙セット機構を備える携帯型端末に関する。
【背景技術】
【０００２】
従来、電気・ガス・水道の検針や、電車の車内での精算用に、ロール紙を記録紙として使用するプリンタとを備える携帯型端末が用いられている。
【０００３】
このような携帯型端末には、ロール紙の着脱時に、印字時にロール紙が通過するプラテン部が連動して移動せずに固定され、ロール紙をプラテン部まで送り出す紙送りダイアルを有する装置が提案されている（例えば特許文献１参照）。
【０００４】
また、一方で、プラテン部がロール紙収納部の蓋と一体化して、ロール紙の着脱時などに、その蓋の開閉に連動して、プラテン部のプラテンローラが位置移動し、そのプラテンローラの位置移動に伴って、ロール紙の先端部分や外周部分が位置決めされた状態と、そのプラテンローラが離れて挟むものがなくなりロール紙の先端部分や外周部分に遊びが生じている状態とが交互に現れる、いわゆるクラムシェル方式の装置もある。
【０００５】
図７および図８は、携帯型端末を使い続けていて、ロール紙が減ったときなどに、クラムシェル方式の携帯型端末で発生する不具合を説明する図である。
【０００６】
図７に示すように、携帯型端末５０は、開閉する蓋５１−１および固定蓋５１−２を有するロール紙収納部、ヒンジ軸５４、ヒンジ５５、図では隠れている蓋５１−１と一体に形成されたプラテンローラ５３、ロール紙６２、蓋５１−１を開閉する開閉スイッチ５８、ロール紙収納部の固定蓋５１−２側の対向する位置に設けられた係止部（不図示）に係合するフック５９を備える。
【０００７】
蓋５１−１はヒンジ５５を介してヒンジ軸５４に支持され、ヒンジ軸５４を中心に回動することで開閉する。また、蓋５１−１を開けた状態では、ロール紙６２がロール紙収納部の固定蓋５１−２上に載置されて、ロール紙収納部の空隙部分にセットされている。
【０００８】
ロール紙収納部の蓋（カバー）５１−１がオープンされたことに連動して、図７では隠れているが、符号５３の位置に存在するプラテンローラとヘッド（不図示）との、ロール紙６２の先端部分に対する押し付けが解除され、ロール紙６２の外周に膨らみ部分６５が生じる。
【０００９】
図７の状況から蓋５１−１を閉めたとき（カバークローズ時）は、この膨れた部分６５が、図８に示すように押し潰されてしまい、盛り上がり部分６８に折り目が付いてしまう。一旦付いた折れ目はジャムの原因となるので好ましくない。一方、折れ目を付けないためには、図７の膨れた部分６５をカバークローズ時に巻き取る必要があるが、この巻き取り作業が、カバーのオープン・クローズ時における手間となり、ユーザの負担となっている。
【００１０】
なお、特許文献１に示される携帯型装置では、ロール紙収納部がプリンタユニットとは別に設けられていて、例えば、蓋（カバー）にプラテンローラが一体化していない。このため、カバーオープン時にロール紙の外周部分に膨れた部分ができてしまい、巻き取る必要がある、という状況は生じない。
【先行技術文献】
【特許文献】
【００１１】
【特許文献１】特開２００１−３３７９３２号公報
【発明の概要】
【発明が解決しようとする課題】
【００１２】
本発明は、上記問題を解決するためになされたものであり、ロール紙セット時の手間を軽減することを可能とした、ロール紙セット機構を備える携帯型端末を提供することを目的とする。
【課題を解決するための手段】
【００１３】
提案する携帯型端末は、ロール紙を挿入可能なロール紙ホルダと、前記ロール紙を、印字を行うヘッドに押し付けて、前記ロール紙の先端部分を用紙送りするプラテンローラと、前記プラテンローラと一体化した蓋を有し、前記ロール紙ホルダを収納可能なロール紙ホルダ収納部とを備える。そして、前記ロール紙ホルダは、前記蓋を開いたときに前記ロール紙ホルダ収納部から着脱自在である。
【発明の効果】
【００１４】
提案する携帯型端末では、ロール紙はロール紙ホルダに収納され、ロール紙を収納したロール紙ホルダをロール紙収納部に収納している。したがって、携帯型端末が、ロール紙収納部の蓋にプラテンローラが一体に設けられた構成であり、ロール紙収納部の蓋を開いたときに、ロール紙の外周部の一部が膨らんだとしても、その膨らみ部分はロール紙ホルダの内壁にさえぎられるので、蓋を閉じたときに、その蓋によりその膨らみ部分が押し潰されることはなくなり、ロール紙収納部の蓋の開閉動作に伴う手間を軽減できる。
【図面の簡単な説明】
【００１５】
【図１】本発明の一実施形態に係る携帯型端末の外観斜視図である。
【図２】本実施形態のロール紙ホルダの外観斜視図である。
【図３】ロール紙ホルダの装置本体へのセット方法を示す斜視図である。
【図４】ロール紙が中に入っているロール紙ホルダを装置本体へセットし、まだ、カバーオープンしている時点での断面図である。
【図５】ロール紙が中に入っているロール紙ホルダを装置本体へセットし、カバークローズした時点での断面図である。
【図６】本実施形態の変型例のロール紙ホルダを示す図である。
【図７】従来技術における、ロール紙が中に入っているロール紙ホルダを装置本体へセットし、まだ、カバーオープンしている時点での断面図である。
【図８】従来技術における、ロール紙が中に入っているロール紙ホルダを装置本体へセットし、カバークローズした時点での断面図である。
【発明を実施するための形態】
【００１６】
以下、本発明に係る実施の形態について図面を参照して詳細に説明する。
図１は、本発明の一実施形態に係る携帯型端末の外観斜視図である。
【００１７】
図１に示すように、本実施形態の携帯型端末１は、後述するようにロール紙を中に入れたロール紙ホルダを収納するロール紙ホルダ収納部２、用紙（ロール紙の先端部分）を排出する排出口７を備えるプリンタ部５、表示部９、複数のキーの押下により必要な情報の入力を行う入力部１１、を備える。
【００１８】
ロール紙ホルダ収納部２は、開閉スイッチ４によりヒンジ軸２２を中心に回転して開閉可能な蓋３−１と、固定された蓋３−２を有する。なお、本実施形態では、従来技術との差異を強調する意味で、従来、ロール紙収納部と呼んでいた部位を、ロール紙ホルダ収納部と呼ぶことにする。
【００１９】
図２は、本実施形態のロール紙ホルダの外観斜視図である。
図２に示すように、ロール紙ホルダ１２は、内部が空洞の円筒形状で、長尺状のロール紙１６をその空洞部１７に収納し、ロール紙先端１８をロール紙ホルダ１２から外部に出すための開口部１３を備えている。また、ロール紙ホルダ１２の開口部１３の両端面には、空洞部から外側に向かって突起部１５−１、１５−２が設けられている。
【００２０】
更に、空洞部１７と突起部１５−１、又は、空洞部１７と突起部１５−２とが接する面はＲ形状１４となっている。
【００２１】
ロール紙１６を矢印Ａで示す方向に側面から中に入れて（挿入して）、そのロール紙１６を収納した状態のロール紙ホルダ１２を、図３に示すように、蓋３−１が開いた状態のロール紙ホルダ収納部２内に矢印Ｂで示す方向にセット（収納）する。なお、図２には示されていないが、ロール紙ホルダ１２の内壁にリブを一定間隔ごとに設けるようにしてもよい。このようにすれば、ロール紙１６の外周とロール紙ホルダ１２の内壁との接触面積を減らすことができ、用紙送りを一層スムーズにすることができる。
【００２２】
なお、図３に示すように、ロール紙ホルダ収納部２は、ヒンジ２３を介してヒンジ軸２２に支持され、ヒンジ軸２２を支点として回動する蓋３−１と、固定蓋３−２とを備える。フック２４は、蓋３−１側の左右両側面に設けられ、ロール紙ホルダ収納部２の固定蓋３−２側の左右両側面で、対向する位置に設けられた係止部２５に係合する。また、蓋３−１のヒンジ軸２２とは対向側の端部の中央には、本来、プリンタ部５の一部であるプラテンローラ２１が一体化して取り付けられている。また、ロール紙１６の先端１８がロール紙の外部に送り出されるときに通過する開口部１３の両端面には、空洞部から外側に向かって突起部１５−１、１５−２が設けられている。
【００２３】
更に、空洞部１７と突起部１５−１、又は、空洞部１７と突起部１５−２とが接する面にＲ１４を設けたので、用紙の送り出しをスムーズに行うことができる。
【００２４】
また、ロール紙ホルダ１２の位置決めのために、例えば、ロール紙ホルダ１２の底面に突起部を設け、ロール紙ホルダ収納部２の空洞部分の底面に、その突起部と係合する窪み部を設けるようにしてもよい。当然、凹凸を逆にしてもよい。このようにすれば、ロール紙ホルダ１２がロール紙ホルダ２内で位置決めされるので、使用時の用紙送り出しの安定感が一層増す。
【００２５】
このようにして、ロール紙をセットし、携帯型端末１を使い続けていき、中のロール紙も減っていくと、ユーザはロール紙の減り具合の確認などの理由で、携帯型端末１のロール紙ホルダ収納部２の蓋３−１を開けることになる。
【００２６】
このとき、本実施形態の携帯型端末１では、図４の断面図に示すように、ロール紙１６はロール紙ホルダ１２に収納され、ロール紙１６を収納したロール紙ホルダ１２をロール紙ホルダ収納部２に収納している。したがって、携帯型端末１が、ロール紙ホルダ収納部２の蓋３−１にプラテンローラ２１が一体に設けられた構成であり、ロール紙ホルダ収納部２の蓋３−１を開いたときに、プラテンローラ２１とプリンタ部５のヘッド（不図示）との圧着が解除されて、ロール紙１６の外周部の一部が膨らんだとしても、その膨らみ部分はロール紙ホルダ１２の内壁にさえぎられるので、蓋３−１を閉じたときに、その蓋３−１によりその膨らみ部分が押し潰されることはなくなり、ロール紙ホルダ収納部２の蓋の開閉動作に伴う手間を軽減できる。
【００２７】
図５は、ロール紙が中に入っているロール紙ホルダを装置本体へセットし、カバークローズした時点での断面図である。実際には、図５に示すように、ロール紙ホルダ１２がセットされていて蓋３−１が開いている状態のときは、遊んでいて位置決めされていなかった、ロール紙１６から送り出された部分が、蓋３−１を閉じたことに対応してプラテンローラ２１とヘッド（不図示）に挟まれて位置決めされる。このとき、ロール紙１６の先端１８は排出口７からはみ出している。また、ロール紙ホルダ１２の開口部１３の両端面には、空洞部から外側に向かって突起部１５−１、１５−２を設けたことにより、ロール紙ホルダ収納部２内にロール紙ホルダ１２を収納する際、固定蓋３−２側に近い下側の突起部１５−２が、携帯型端末１本体の固定蓋３−２の端部に固定され、ロール紙ホルダ１２の開口部１３位置がロール紙排出口側に向けて固定された状態となる。これにより、ロール紙ホルダ１２を設けても、従来通りロール紙のセットは容易に行える。また、ロール紙ホルダ１２の空洞部１７の開口部分の内側の面にはＲ１４が設けられているため、排出されるロール紙１６はＲ形状に沿って排出されるため、引っ掛かり等がなくなり、スムーズにロール紙１６が排出されるようになる。
【００２８】
なお、用途に応じて、ロール紙の大きさ（径）が異なる場合がある。これに対し、その都度、サイズが異なる携帯型端末を用意するのは不便である。
【００２９】
そこで、図６に示すように、径の小さいロール紙３８に対しては、ロール紙１６を使用したのと同一の携帯型端末において、ロール紙ホルダ収納部２の内部の空洞部分に生じる隙間を埋めるように形状を変更したロール紙ホルダ３１を使用する。
【００３０】
図６に示すように、ロール紙ホルダ３１は、本体円筒部３４の軸方向に対し垂直な方向に、本体円筒部３４の両端および中央に設けられたフランジ３５を備え、これらフランジ３５により、径の小さいロール紙３８に対しては、ロール紙ホルダ収納部２の内部の空洞部分に生じる隙間を埋めるようにしている。
【００３１】
また、ロール紙３８の先端３９がロール紙の外部に送り出されるときに通過する開口部４０の両端にＲ３２−１、及びロール紙ホルダ３１の空洞部３６と突起部３３−１，３３−２の交差する辺にＲ３２−２を設けたので、用紙の送り出しをスムーズに行うことができる。尚、Ｒ３２−１、３２−２は、Ｒ形状としたがこれに限らず、ロール紙３８がスムーズに排出される様な形状であれば、面取り（鈍角）等としてもよい。
【００３２】
このように、径の小さいロール紙３８に対しては、ロール紙ホルダ３１の内径を変更して、ロール紙ホルダ収納部２の内部の空洞部分に生じる隙間を埋めるようにしているので、用途により異なる径のロール紙を使用する場合や、ロール紙の径が使用が進むにつれて小さくなっていった場合にも、携帯型端末を複数種類用意する必要はなく、ロール紙ホルダを切り替えて使用すればよいので、１台の携帯型端末の汎用性を高めることができる。
【符号の説明】
【００３３】
１、５０  携帯型端末
２  ロール紙ホルダ収納部
３−１、３−２、５１−１、５１−２  蓋
４、５８  開閉スイッチ
５  プリンタ部
７、５７  排出口
９  表示部
１１  入力部
１２、３１  ロール紙ホルダ
１３、４０  開口部
１４、３２−１、３２−２  Ｒ
１５−１、１５−２、３３−１、３３−２  突起部
１６、３８、６２  ロール紙
１７、３６  空洞部（ロール紙収納部）
１８、３９、６４  ロール紙先端
２１、５３  プラテンローラ
２２、５４  ヒンジ軸
２３、５５  ヒンジ
２４、５９  フック
２５  係止部
３４  本体円筒部
３５  フランジ
６５  ロール紙の膨らみ部分
６８  盛り上がり部分
【図２】
2013049221.tif 000003
【図３】
2013049221.tif 000004
【図５】
2013049221.tif 000005
【図６】
2013049221.tif 000006
【図１】
2013049221.tif 000007
【図４】
2013049221.tif 000008
【図７】
2013049221.tif 000009
【図８】
2013049221.tif 000010